(57)【要約】【課題】簡易な作業によって効果的にヒップアップを実現することが可能なガードルを提供する。【解決手段】伸縮性材料を用いたガードル１は、ガードル本体１００の後部に設けられた開口１ｄと、ガードル本体１００の後部に設けられ開口１ｄを開閉するカバー２０１と、を備える。カバー２０１の両側には、カバー２０１により開口１ｄを閉じた状態において、ガードル本体１００の前側に回り込ませることが可能な帯部２０２、２０３が設けられ、帯部２０２、２０３には、これら帯部をガードル本体１００の前側に回り込ませた状態で、互いに着脱可能に結合する結合部Ｃ１、Ｃ２が設けられている。さらに、ガードル本体１００の後部の股部付近から帯部２０２、２０３の端部にそれぞれ及ぶ領域Ａ１に、周囲よりも伸縮性が高められるよう複数の布が設けられている。【選択図】図６
2014214382.tif 000002
【特許請求の範囲】
【請求項１】
伸縮性材料を用いたガードルにおいて、
ガードル本体の後部に設けられた開口と、
前記ガードル本体の後部に設けられ前記開口を開閉するカバーと、を備え、
前記カバーの両側には、前記カバーにより前記開口を閉じた状態において、前記ガードル本体の前側に回り込ませることが可能な帯部が設けられ、両帯部には、これら帯部を前記ガードル本体の前側に回り込ませた状態で、互いに着脱可能に結合する結合具が設けられ、
さらに、前記ガードル本体の後部の股部付近から前記両帯部の端部にそれぞれ及ぶ第１の領域に、周囲よりも伸縮性が高められたヒップアップ用の伸縮補強部が設けられている、
ことを特徴とするガードル。
【請求項２】
請求項１に記載のガードルにおいて、
前記伸縮補強部は、伸縮性を有する複数の布を前記第１の領域に装着することにより構成される、
ことを特徴とするガードル。
【請求項３】
請求項２に記載のガードルにおいて、
前記伸縮補強部は、伸縮性を有する帯状の第１の布と、前記第１の布よりも幅が広い伸縮性を有する帯状の第２の布を含み、
前記第１の布の幅方向の両側に前記第２の布の一部がはみ出すように、前記第１の布と前記第２の布が前記第１の領域に重ねて装着される、
ことを特徴とするガードル。
【請求項４】
請求項１ないし３の何れか一項に記載のガードルにおいて、
前記股部付近から前記ガードル本体の前部を通って前記ガードル本体の両脇付近にそれぞれ及ぶ第２の領域に設けられ、前記伸縮補強部に生じる収縮方向の力に抗する力を生じさせる緩衝部をさらに備える、
ことを特徴とするガードル。
【請求項５】
請求項４に記載のガードルにおいて、
前記緩衝部の一端は、前記ガードル本体の前記股部付近において、前記伸縮補強部の一端に連結されている、
ことを特徴とするガードル。
【請求項６】
請求項５に記載のガードルにおいて、
一方の前記緩衝部の他端が、前記ガードル本体の後部において、他方の前記緩衝部の他端に連結されている、
ことを特徴とするガードル。
【請求項７】
請求項１ないし６の何れか一項に記載のガードルにおいて、
前記伸縮補強部は、前記第１の領域の幅方向の中央部の伸縮性に比べて、前記第１の領域の幅方向の縁部の伸縮性が低くなっている、
ことを特徴とするガードル。
【発明の詳細な説明】
【技術分野】
【０００１】
本発明は、ガードル、特に、簡易な作業によって効果的にヒップアップを実現することが可能なガードルに関する。
【背景技術】
【０００２】
一般に、ガードルは、着用者の腹部を押さえるとともに、ヒップを持ち上げ、これにより、ボディラインを整える効果を発揮する。以下の特許文献１には、ガードル本体の後部にヒップ露出用の開口が設けられるとともに、この開口を開閉可能なヒップ覆い部が設けられたガードルが記載されている。このガードルには、ヒップ覆い部の両側に、それぞれ、腹押さえ部が設けられ、さらに、これら腹押さえ部の端部に、着脱自在な結合具が設けられている。ヒップ覆い部で開口を閉じた状態において結合具をガードル本体の前側で結合させることにより、着用者の腹部が腹押さえ部によって押さえられる。また、これと同時に、着用者のヒップがヒップ覆い部によって圧迫され、着用者のヒップが持ち上げられる。
【先行技術文献】
【特許文献】
【０００３】
【特許文献１】実公平６−１９５２２号公報
【発明の概要】
【発明が解決しようとする課題】
【０００４】
しかしながら、特許文献１に記載のガードルは、単に、ヒップ覆い部によりヒップを圧迫することによりヒップを持ち上げるものであるため、顕著なヒップアップ効果を実現することができない。
【０００５】
本発明は、簡易な作業によって効果的にヒップアップを実現することが可能なガードルを提供することを目的とする。
【課題を解決するための手段】
【０００６】
本発明の主たる態様は、伸縮性材料を用いたガードルに関する。この態様に係るガードルは、ガードル本体の後部に設けられた開口と、前記ガードル本体の後部に設けられ前記開口を開閉するカバーと、を備える。前記カバーの両側には、前記カバーにより前記開口を閉じた状態において、前記ガードル本体の前側に回り込ませることが可能な帯部が設けられ、両帯部には、これら帯部を前記ガードル本体の前側に回り込ませた状態で、互いに着脱可能に結合する結合具が設けられる。さらに、前記ガードル本体の後部の股部付近から前記両帯部の端部にそれぞれ及ぶ第１の領域に、周囲よりも伸縮性が高められたヒップアップ用の伸縮補強部が設けられている。
【０００７】
本態様に係るガードルによれば、ガードル本体の後部に開口が設けられているため、この開口から手を挿入することにより、股部付近の内ももの肉やヒップの下側の肉を、容易に手で上側に持ち上げることができる。また、ガードル本体の後部の股部付近から両帯部の端部にそれぞれ及ぶ第１の領域に、周囲よりも伸縮性が高められたヒップアップ用の伸縮補強部が設けられているため、開口から手を挿入して持ち上げた肉を伸縮補強部に載せることができ、さらに、この肉を、伸縮補強部の収縮力により伸縮補強部の上側に留め置くことができる。そして、この状態において、カバーにより開口を閉じ、さらに、帯部を引き伸ばしつつ、ガードル本体の前側に帯部を回り込ませて、結合具を互いに結合させることにより、カバーと帯部の収縮力によってヒップを圧迫して、ヒップを持ち上ることが
できる。このとき、帯部とともに伸縮補強部も引き伸ばされるため、伸縮補強部の収縮力がさらに高められる。これにより、伸縮補強部の上側に留められた肉が効果的に持ち上げられ、且つ、この肉が、内ももやヒップの下側へと逃げにくくなる。その結果、ヒップラインを美しく保つことができる。このように、本態様に係るガードルによれば、簡易な作業によって効果的にヒップアップを実現することができる。
【０００８】
本態様に係るガードルにおいて、前記伸縮補強部は、伸縮性を有する複数の布を前記第１の領域に装着することにより構成され得る。こうすると、装着される布の数を変えることにより、伸縮補強部の伸縮力を調整することができる。
【０００９】
この場合、前記伸縮補強部は、伸縮性を有する帯状の第１の布と、前記第１の布よりも幅が広い伸縮性を有する帯状の第２の布を含み、前記第１の布の幅方向の両側に前記第２の布の一部がはみ出すように、前記第１の布と前記第２の布が前記第１の領域に重ねて装着される。こうすると、伸縮力が、幅方向に減少するため、伸縮補強部の幅方向の境界から肉が盛り上がることを抑制でき、ヒップの整形効果を高めることができる。また、ガードルの着用感を高めることができる。
【００１０】
また、本態様に係るガードルは、前記股部付近から前記ガードル本体の前部を通って前記ガードル本体の両脇付近にそれぞれ及ぶ第２の領域に設けられ、前記伸縮補強部に生じる収縮方向の力に抗する力を生じさせる緩衝部をさらに備える構成とされ得る。こうすると、伸縮補強部により股部付近が引っ張られて股部付近における着用感が悪くなることを抑制することができる。また、伸縮補強部の収縮が緩衝部によって抑えられるため、伸縮補強部によるホールド力を高めることができる。
【００１１】
なお、この構成では、前記緩衝部の一端が、前記ガードル本体の前記股部付近において、前記伸縮補強部の一端に連結されるように構成され得る。こうすると、伸縮補強部の収縮が、緩衝部によって、より効果的に抑えられ得る。
【００１２】
さらに、この場合、一方の前記緩衝部の他端が、前記ガードル本体の後部において、他方の前記緩衝部の他端に連結されるよう構成され得る。こうすると、伸縮補強部と緩衝部が、一つ続きのループとなって、着用者の両ももと腹部および腰部を取り巻くようになり、これにより、伸縮補強部と緩衝部によるヒップおよび腹部の引き締め効果がより一層高められ得る。よって、ボディラインをより美しく整えることができる。
【００１３】
本態様に係るガードルにおいて、前記伸縮補強部は、前記第１の領域の幅方向の中央部の伸縮性に比べて、前記第１の領域の幅方向の縁部の伸縮性が低くなるよう構成され得る。こうすると、肉の盛り上がりを抑えることができ、ヒップの整形効果を高めることができる。また、着用感を高めることができる。
【発明の効果】
【００１４】
以上のとおり、本発明によれば、簡易な作業によって効果的にヒップアップを実現することが可能なガードルを提供することができる。
【００１５】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１６】
【図１】実施の形態に係る着用時のガードルを前方側および後方側から見た場合の外観構成を示す図である。
【図２】実施の形態に係るウエスト部と、前中央部と、前脇部と、股底部とが縫着される前の状態を、ガードルの内側から見た場合の平面図である。
【図３】実施の形態に係る後中央部と、後脇部とが縫着される前の状態を、ガードルの内側から見た場合の平面図である。
【図４】実施の形態に係る前脇部および後脇部を縫製する手順を示す図である。
【図５】実施の形態に係るガードルの着用途中の状態を示す図である。
【図６】実施の形態に係るヒップ整形のための作業の手順について説明する図である。
【図７】実施の形態に係る後脇部と前脇部の伸縮性が高められた領域を示す平面図、および、後側と前側の収縮方向を示す図である。
【図８】変更例に係るウエスト部と、前中央部と、前脇部と、股底部とが縫着される前の状態を、ガードルの内側から見た場合の平面図である。
【図９】変更例に係る後中央部と、後脇部とが縫着される前の状態を、ガードルの内側から見た場合の平面図である。
【発明を実施するための形態】
【００１７】
以下、本発明の実施の形態につき図面を参照して説明する。
【００１８】
以下に示す実施の形態において、布３１、３２、４１、４２は、請求項に記載の「緩衝部」に相当する。また、布８１、９１は、請求項に記載の「伸縮補強部」、「第１の布」に相当する。また、布８２、９２は、請求項に記載の「伸縮補強部」、「第２の布」に相当する。領域Ａ１は、請求項に記載の「第１の領域」に相当する。領域Ａ２は、請求項に記載の「第２の領域」に相当する。ループＣ１１とフックＣ２１は、請求項に記載の「結合具」に相当する。ただし、上記請求項と本実施の形態との対応の記載は、あくまで一例であって、請求項に係る発明を本実施の形態に限定するものではない。
【００１９】
図１（ａ）、（ｂ）は、それぞれ、着用時のガードル１を前方側および後方側から見た場合の外観構成を示す図である。
【００２０】
図１（ａ）、（ｂ）を参照して、ガードル１は、着用者の腰部を覆うウエスト部１０と、着用者の腹部を覆う前中央部２０と、着用者の右側と左側の大腿部の上部をそれぞれ覆う前脇部３０、４０と、着用者の股下を覆う股底部５０と、着用者のヒップの中央を覆う後中央部６０、７０と、着用者の左側と右側のヒップをそれぞれ覆う後脇部８０、９０と、を備えている。これら各部は、何れも伸縮性材料により構成されている。
【００２１】
図１（ａ）を参照して、後脇部８０、９０は、それぞれ、着用時に着用者の腹部へと回り込むことが可能な帯状の部分を有し、これら帯状の部分の端に、それぞれ、結合部Ｃ１、Ｃ２が縫着されている。結合部Ｃ１は、上下方向に並ぶ７個のループＣ１１を、左右方向に３列分備えている。結合部Ｃ２は、上下方向に並ぶ７個のフックＣ２１を備えている。ループＣ１１とフックＣ２１は、互いに着脱可能に結合することが可能である。フックＣ２１をループＣ１１に結合させることにより、後脇部８０、９０をガードル１の前方位置において結合することができる。また、フックＣ２１に結合されるループＣ１１の列を変えることにより、後脇部８０、９０の結合位置を調節することができる。
【００２２】
また、図１（ａ）、（ｂ）には、ガードル１の各部において、収縮性を有する複数の布が重ねられている領域がハッチングにより示されている。濃いハッチング領域は、３枚の布が重ねられている領域を示しており、薄いハッチング領域は、２枚の布が重ねられている領域を示しており、白い領域は、１枚の布からなる領域を示している。なお、以降の図においても、濃いハッチング領域と、薄いハッチング領域と、白い領域は、それぞれ、３枚の布が重ねられている領域と、２枚の布が重ねられている領域と、１枚の布からなる領
域を示すものとする。
【００２３】
図２は、ウエスト部１０と、前中央部２０と、前脇部３０、４０と、股底部５０とが縫着される前の状態を、ガードル１の内側から見た場合の平面図である。
【００２４】
前中央部２０は、布２１、２２により構成されており、前脇部３０は、布３１〜３３により構成されており、前脇部４０は、布４１〜４３により構成されており、股底部５０は、形状が同じ２枚の布により構成されている。前脇部３０、４０は、互いに左右対称の形状を有している。布２１、２２、３１〜３３、４１〜４３は、伸縮性を有する同じ材料により構成されている。
【００２５】
図４（ａ）〜（ｃ）は、布３１〜３３を縫着することにより、前脇部３０を縫製する手順を示す図である。
【００２６】
前脇部３０を縫製する場合、まず、図４（ａ）に示す布３１に対して、紙面手前側から、布３１よりも大きい布３２を重ね、布３１の輪郭に沿って布３１、３２を縫着する。図４（ｂ）は、布３１、３２が縫着された状態を示す。図４（ｂ）において、薄いハッチング領域は、布３１、３２が重なっている領域を示し、白い領域は、布３２のみの領域を示している。続いて、図４（ｂ）に示す縫着された布３１、３２に対して、紙面奥側から、布３２よりも大きい布３３を重ね、布３２の輪郭に沿って布３２、３３を縫着する。図４（ｃ）は、布３２、３３が縫着された状態を示す。図４（ｃ）において、濃いハッチング領域は、布３１〜３３が重なっている領域を示し、薄いハッチング領域は、布３２、３３が重なっている領域を示し、白い領域は、布３３のみの領域を示している。こうして、前脇部３０の縫製が完了する。なお、前脇部４０は、前脇部３０と同様、布４１〜４３が縫着されることにより縫製される。
【００２７】
このように、３枚の布が重ねられた領域の伸縮性は、２枚の布が重ねられた領域の伸縮性に比べて高められることになり、２枚の布が重ねられた領域の伸縮性は、１枚の布からなる領域の伸縮性に比べて高められることになる。
【００２８】
図２に戻り、前中央部２０は、布２１、２２を縫着することにより縫製される。すなわち、前中央部２０を縫製する場合、布２１に対して、紙面奥側から、布２１よりも大きい布２２を重ね、布２１の輪郭に沿って布２１、２２を縫着する。前中央部２０において、薄いハッチング領域は、布２１、２２が重なっている領域を示し、白い領域は、布２２のみの領域を示している。
【００２９】
ウエスト部１０と、前中央部２０と、前脇部３０、４０と、股底部５０とは、点線矢印の始点の位置と終点の位置が互いに合わされるようにして、互いに縫着される。また、ウエスト部１０の端部Ｅ１１、Ｅ１２が互いに縫着され、前脇部３０の端部Ｅ３１と前脇部４０の端部Ｅ４１とが互いに縫着される。さらに、前脇部３０の端部Ｅ３２、Ｅ３３が、それぞれ、後脇部９０の端部Ｅ９２、Ｅ９３（図３参照）に縫着され、前脇部４０の端部Ｅ４２、Ｅ４３が、それぞれ、後脇部８０の端部Ｅ８２、Ｅ８３（図３参照）に縫着される。なお、ウエスト部１０の上端には、図１（ａ）、（ｂ）と図２に示すように、レースが縫着され、前脇部３０、４０の下端には、図１（ａ）、（ｂ）に示すように、レースが縫着される。
【００３０】
図３は、後中央部６０、７０と、後脇部８０、９０とが縫着される前の状態を、ガードル１の内側から見た場合の平面図である。
【００３１】
後中央部６０は、布６１、６２により構成されており、後中央部７０は、布７１、７２
により構成されており、後脇部８０は、布８１〜８３により構成されており、後脇部９０は、布９１〜９３により構成されている。後中央部６０、７０は、互いに左右対称の形状を有しており、後脇部８０、９０は、互いに左右対称の形状を有している。布６１、６２、７１、７２、８１〜８３、９１〜９３は、伸縮性を有する同じ材料により構成されている。また、図３に示す各布は、図２に示す各布と同じ材料により構成されている。
【００３２】
図４（ｄ）〜（ｆ）は、布９１〜９３を縫着することにより、後脇部９０を縫製する手順を示す図である。
【００３３】
後脇部９０を縫製する場合、まず、図４（ｄ）に示す布９１に対して、紙面手前側から、布９１よりも大きい布９２を重ね、布９１の輪郭に沿って布９１、９２を縫着する。図４（ｅ）は、布９１、９２が縫着された状態を示す。図４（ｅ）において、薄いハッチング領域は、布９１、９２が重なっている領域を示し、白い領域は、布９２のみの領域を示している。続いて、図４（ｅ）に示す縫着された布９１、９２に対して、紙面奥側から、布９２よりも大きい布９３を重ね、布９２の輪郭に沿って布９２、９３を縫着する。図４（ｆ）は、布９２、９３が縫着された状態を示す。図４（ｆ）において、濃いハッチング領域は、布９１〜９３が重なっている領域を示し、薄いハッチング領域は、布９２、９３が重なっている領域を示し、白い領域は、布９３のみの領域を示している。こうして、後脇部９０の縫製が完了する。なお、後脇部８０は、後脇部９０と同様、布８１〜８３が縫着されることにより縫製される。
【００３４】
このように、３枚の布が重ねられた領域の伸縮性は、２枚の布が重ねられた領域の伸縮性に比べて高められることになり、２枚の布が重ねられた領域の伸縮性は、１枚の布からなる領域の伸縮性に比べて高められることになる。
【００３５】
図３に戻り、後中央部６０は、布６１、６２を縫着することにより縫製される。すなわち、後中央部６０を縫製する場合、布６１に対して、紙面奥側から、布６１よりも大きい布６２を重ね、布６１の輪郭に沿って布６１、６２を縫着する。後中央部６０において、薄いハッチング領域は、布６１、６２が重なっている領域を示し、白い領域は、布６２のみの領域を示している。なお、後中央部７０は、後中央部６０と同様、布７１、７２が縫着されることにより縫製される。
【００３６】
後中央部６０、７０と、後脇部８０、９０とは、点線矢印の始点の位置と終点の位置が互いに合わされるようにして、互いに縫着される。また、後脇部８０の端部Ｅ８１と後脇部９０の端部Ｅ９１には、それぞれ、図１（ａ）に示す結合部Ｃ１、Ｃ２が縫着される。さらに、後脇部８０の端部Ｅ８２、Ｅ８３が、それぞれ、前脇部４０の端部Ｅ４２、Ｅ４３（図２参照）に縫着され、後脇部９０の端部Ｅ９２、Ｅ９３が、それぞれ、前脇部３０の端部Ｅ３２、Ｅ３３（図２参照）に縫着される。なお、後脇部８０、９０の下端には、図１（ａ）、（ｂ）に示すように、レースが縫着される。
【００３７】
図５（ａ）、（ｂ）は、上記のようにして縫製されたガードル１の着用途中の状態を示す図である。
【００３８】
ガードル１を着用する際、着用者は、図５（ａ）に示すように、結合部Ｃ１、Ｃ２を互いに結合させない状態にする。続いて、着用者は、両脚をウエスト部１０によって形成される開口１ａに通し、右脚を前脇部３０と後脇部９０によって形成される開口１ｂに通し、左脚を前脇部４０と後脇部８０によって形成される開口１ｃに通す。これにより、ガードル１は、図５（ａ）、（ｂ）に示す状態となる。このとき、図５（ｂ）に示すように、ガードル１の後部には開口１ｄが形成されており、着用者のヒップが開口１ｄを介して外部に露出した状態となっている。この状態において、着用者は、開口１ｄからガードル１
の内部に自身の手を挿入することができ、開口１ｄを介して自身のヒップ下側の肉を手で持ち上げて、ヒップ整形のための作業を行うことができる。この作業の手順については、追って図６（ａ）、（ｂ）と図７（ａ）、（ｂ）を参照して説明する。
【００３９】
こうしてヒップ整形のための作業を行った後、着用者は、結合部Ｃ１、Ｃ２をガードル１の前側に回り込ませ、図１（ａ）に示すように、ループＣ１１とフックＣ２１を結合させる。こうして、ガードル１の着用が完了する。
【００４０】
次に、図６（ａ）、（ｂ）を参照して、ヒップ整形のための作業の手順について説明する。
【００４１】
図６（ａ）、（ｂ）は、縫製されたガードル１を後部側から見た状態を模式的に示す図である。なお、図６（ａ）では、図５（ｂ）の状態において開口１ｄの下端から垂れ下がっている部分が省略されている。以下、図６（ａ）に示されたガードル１の部分をガードル本体１００と称する。また、図６（ｂ）では、図５（ｂ）の状態において開口１ｄの下端から垂れ下がっている部分が上側に持ち上げられた状態が示されている。以下、ガードル本体１００以外のガードル１の部分のうち、開口１ｄを覆う部分をカバー２０１と称し、カバー２０１の両側に設けられた帯状の部分をそれぞれ帯部２０２、２０３と称する。
【００４２】
図６（ｂ）において、濃いハッチング領域は、３枚の布（布８１〜８３、９１〜９３）が重なっている領域を示し、薄いハッチング領域は、２枚の布（布８２、８３、９２、９３）が重なっている領域を示している。帯部２０２、２０３は、図６（ｂ）に示すように、カバー２０１により開口１ｄが閉じられた状態において、ガードル本体１００の前側に回り込むことが可能となっている。
【００４３】
ヒップ整形のための作業を行う場合、着用者は、まず、カバー２０１と帯部２０２、２０３を下ろして、図５（ｂ）に示すように、開口１ｄを介してヒップが露出した状態とする。続いて、着用者は、図６（ａ）の白抜き矢印に示すように、開口１ｄからヒップの下側に自身の手を挿入し、点線で囲まれた股付近の内ももの肉やヒップの下側の肉を、挿入した手で実線矢印に示すように上側に持ち上げる。
【００４４】
このとき、点線で囲まれた領域に対応する部分には、図６（ｂ）に示すように、複数の布が重ねられている。複数の布が重ねられた部分は、上述したように、周囲（１枚の布が重ねられた部分）よりも伸縮性が高められた状態となっている。このため、着用者は、開口１ｄから手を挿入して持ち上げた肉を複数の布が重ねられた部分に載せることができ、さらに、この肉を、複数の布が重ねられた部分の上側に留め置くことができる。
【００４５】
図７（ａ）は、後脇部８０、９０の伸縮性が高められた領域を示す平面図である。なお、図７（ａ）には、後脇部８０、９０をガードル１の内側から見た場合の平面図が示されている。
【００４６】
後脇部８０、９０の領域Ａ１は、２枚または３枚の布が重ねられた領域である。ガードル１が縫製された状態において、領域Ａ１は、ガードル本体１００の後部の股部付近からヒップラインに沿って、帯部２０２の右端と帯部２０３の左端まで延びている。領域Ａ１のうち、領域Ａ１１は、３枚の布が重ねられ、最も伸縮性が高められた領域であり、領域Ａ１２は、２枚の布が重ねられ、領域Ａ１１に次いで伸縮性が高められた領域である。領域Ａ１１、Ａ１２も、ガードル本体１００の後部の股部付近からヒップラインに沿って、帯部２０２の右端と帯部２０３の左端まで延びている。
【００４７】
着用者がガードル１を着用すると、図６（ｂ）に示すように、最も収縮性が高められた
領域Ａ１１が、着用者の内ももからヒップの下側に掛けて延びるようになる。したがって、着用者は、図６（ａ）の点線で示された領域、すなわち、内ももやヒップ下側の領域の肉を、上記のように開口１ｄから手を挿入して持ち上げて、領域Ａ１１の上側に載せることができ、さらに、この肉を、領域Ａ１１の上側に留め置くことができる。さらに、股部付近の肉を、領域Ａ１２の上側に持ち上げて、留め置くことができる。
【００４８】
こうして、ヒップ整形のための作業を行った後、着用者は、図６（ｂ）に示すカバー２０１により開口１ｄを閉じ、さらに、帯部２０２、２０３を引き伸ばしつつ、ガードル本体１００の前側に帯部２０２、２０３を回り込ませて、結合部Ｃ１、Ｃ２を互いに結合させる。これにより、カバー２０１によってヒップが圧迫され、ヒップが持ち上げられる。このとき、帯部２０２、２０３とともに、領域Ａ１１、Ａ１２の部分が、図７（ｂ）の方向Ｄ１に沿って引き伸ばされ、領域Ａ１１、Ａ１２の部分の収縮力が高められる。これにより、領域Ａ１１、Ａ１２の上側に留められた肉が効果的に持ち上げられ、且つ、この肉が、内ももやヒップの下側へと逃げにくくなる。これにより、ヒップラインが美しく整形される。
【００４９】
なお、本実施の形態では、領域Ａ１１、Ａ１２の収縮力とバランスを取るために、前脇部３０、４０にも伸縮性が高められた領域が設けられている。
【００５０】
図７（ｃ）は、前脇部３０、４０の伸縮性が高められた領域を示す平面図である。なお、図７（ｃ）には、前脇部３０、４０をガードル１の内側から見た場合の平面図が示されている。
【００５１】
前脇部３０、４０の領域Ａ２は、２枚または３枚の布が重ねられた領域である。ガードル１が縫製された状態において、領域Ａ２は、ガードル本体１００の前部の股部付近から、ガードル本体１００の両脇を通って、ガードル本体１００の後部へと延びている。領域Ａ２のうち、領域Ａ２１は、３枚の布が重ねられ、最も伸縮性が高められた領域であり、領域Ａ２２は、２枚の布が重ねられ、領域Ａ２１に次いで伸縮性が高められた領域である。領域Ａ２１、Ａ２２も、ガードル本体１００の前部の股部付近からガードル本体１００の両脇を通って、ガードル本体１００の両脇付近まで延びている。
【００５２】
図２を参照して説明したように、領域Ａ２の股部側の端部Ｅ３２、Ｅ４２（図２参照）は、それぞれ、図７（ａ）に示す領域Ａ１の股部側の端部Ｅ８２、Ｅ９２（図２参照）に縫着されている。
【００５３】
ガードル１が着用されると、上記のように、図７（ａ）の領域Ａ１の部分が図７（ｂ）の方向Ｄ１に沿って引き伸ばされ、領域Ａ１の部分に収縮力が生じる。この収縮力によって、領域Ａ１の股部側の端部が方向Ｄ１に引っ張られる。しかしながら、領域Ａ１の股部側の端部が、図７（ｃ）に示す領域Ａ２の股部側の端部に縫着されているため、領域Ａ１の股部側の端部が方向Ｄ１に引っ張られても、図７（ｄ）の方向Ｄ２の領域Ａ２の部分の収縮力によって、領域Ａ１の部分の収縮が抑えられる。これにより、ガードル１の前側と後側のバランスが取れた状態となり、領域Ａ１の部分の収縮力によるヒップのホールド力が高められる。
【００５４】
＜実施の形態の効果＞
本実施の形態によれば、以下の効果が奏され得る。
【００５５】
図６（ａ）に示すように、ガードル本体１００の後部に開口１ｄが設けられているため、着用者は、この開口１ｄから手を挿入することにより、股部付近の内ももの肉やヒップの下側の肉を、自身の手で容易に上側に持ち上げることができる。また、図７（ａ）に示
すように、領域Ａ１の部分の伸縮性が高められているため、着用者は、開口１ｄから手を挿入して持ち上げた肉を、複数の布が重ねられた領域Ａ１の部分に載せることができ、さらに、この肉を、領域Ａ１の部分の収縮力により領域Ａ１の部分の上側に留め置くことができる。
【００５６】
また、持ち上げた肉が領域Ａ１の部分の上側に留め置かれた状態において、着用者は、カバー２０１により開口１ｄを閉じ、さらに、帯部２０２、２０３を引き伸ばしつつ、ガードル本体１００の前側に帯部２０２、２０３を回り込ませて、図１（ａ）に示す結合部Ｃ１、Ｃ２を互いに結合させることにより、カバー２０１と帯部２０２、２０３の収縮力によってヒップを圧迫して、ヒップを持ち上ることができる。このとき、帯部２０２、２０３とともに領域Ａ１の部分も引き伸ばされるため、領域Ａ１の部分の伸縮力がさらに高められる。よって、領域Ａ１の部分の上側に留められた肉が効果的に持ち上げられ、且つ、この肉が、内ももやヒップの下側へと逃げにくくなる。これにより、ヒップラインを美しく保つことができる。
【００５７】
このように、本実施の形態によれば、簡易な作業によって効果的にヒップアップを実現することができる。
【００５８】
なお、ヒップ下部付近の肉は、そのまま下へと垂れ下がるよりも、内もも方向へと移動し易い。よって、図６（ｂ）のように、ガードル１の着用時において、内もも付近に伸縮力が高められた領域Ａ１１が位置付けられることにより、移動した内もも付近の肉を効果的に領域Ａ１１の上側に留め置くことができる。これにより、効果的なヒップアップを実現することができる。
【００５９】
また、結合部Ｃ１、Ｃ２が互いに結合されると、帯部２０２、２０３の伸縮力によって着用者の腹部が押さえられるため、ボディラインを美しく整えることができる。
【００６０】
また、本実施の形態では、領域Ａ１の伸縮性を高めるための手段として、複数の布を重ねる構成が用いられているため、重ねられる布の数を調整することにより、伸縮性を調整することができる。また、他の部分と同じ材料の布を用いながら、領域Ａ１の伸縮力を高めることができる。
【００６１】
また、図３に示すように、布８２、９２は、それぞれ布８１、９１よりも幅が広くなっており、布８２、９２は、それぞれ布８１、９１の幅方向の両側にはみ出すように重ねられている。これにより、図７（ａ）に示すように、領域Ａ１１の外側に、領域Ａ１１よりも伸縮力が小さい領域Ａ１２が設けられ、領域Ａ１における伸縮力が、幅方向に次第に減少するようになる。このように、領域Ａ１１の外側に、領域Ａ１１よりも伸縮力が小さい領域Ａ１２が設けられることにより、領域Ａ１の幅方向の境界部分によって、着用者の肉が強く押さえ付けられることが緩和される。よって、着用時に領域Ａ１の幅方向の境界の外側から肉が盛り上がることを抑制することができ、これにより、ヒップの整形効果を高めることができる。また、ガードル１の着用感を高めることができる。
【００６２】
また、図７（ｃ）に示すように、前脇部３０、４０の領域Ａ２の部分に複数の布を重ねることにより、領域Ａ２の部分の伸縮力が高められている。これにより、図７（ｂ）に示す方向Ｄ１の収縮が、図７（ｄ）に示す方向Ｄ２の収縮力によって抑制されるため、方向Ｄ１の収縮によって着用者の股部付近が引っ張られることを抑制でき、股部付近における着用感が悪くなることを抑制することができる。また、このように方向Ｄ１における収縮が抑制されるため、図７（ａ）に示す領域Ａ１の収縮力を高く保つことができ、領域Ａ１の部分によるホールド力を高めることができる。
【００６３】
また、図２、３に示すように、前脇部３０の端部Ｅ３２、Ｅ３３が、それぞれ、後脇部９０の端部Ｅ９２、Ｅ９３に縫着され、前脇部４０の端部Ｅ４２、Ｅ４３が、それぞれ、後脇部８０の端部Ｅ８２、Ｅ８３に縫着される。これにより、領域Ａ１の伸縮を、領域Ａ２によって、より効果的に抑えることができる。
【００６４】
さらに、図２に示すように、前脇部３０の端部Ｅ３１と前脇部４０の端部Ｅ４１とが、互いに縫着されているため、後脇部８０、９０の領域Ａ１の部分と、前脇部３０、４０の領域Ａ２の部分とが、一つ続きのループとなって、着用者の両ももと腹部および腰部を取り巻くようになる。よって、領域Ａ１、Ａ２の部分によるヒップおよび腹部の引き締め効果をより一層高めることができるため、ボディラインをより美しく整えることができる。
【００６５】
また、図２に示すように、布２１は布２２の内側に縫着され、布３１、３２は布３３の内側に縫着され、布４１、４２は布４３の内側に縫着される。また、図３に示すように、布６１は布６２の内側に縫着され、布７１は布７２の内側に縫着され、布８１、８２は布８３の内側に縫着され、布９１、９２は布９３の内側に縫着される。これにより、複数の布を縫着する縫い目がガードル１の外側に露出しなくなるため、着用後のガードル１の見た目を美しくすることができる。
【００６６】
また、図２に示すように、布３１は布３２の外側に縫着され、布４１は布４２の外側に縫着される。また、図３に示すように、布８１は布８２の外側に縫着され、布９１は布９２の外側に縫着される。これにより、布３１、４１、８１、９１の縫い目がガードル１の内側に露出しなくなるため、ガードル１の着用感を高めることができる。
【００６７】
また、図１（ａ）に示すように、フックＣ２１を左右方向に並ぶ３列のループＣ１１の何れかに結合させることにより、後脇部８０、９０の結合位置を調節することができる。これにより、着用者は、後脇部８０、９０の引き延ばし加減を調整することができ、これにより、後脇部８０、９０の領域Ａ１とその他の部分に生じる収縮力を調整することができる。こうして、着用者は、ヒップアップ効果を自由に調節することができ、また、腹部の引き締め効果を自由に調節することができる。
【００６８】
また、図５（ｂ）に示す状態では、開口１ｄを介してヒップを外部に露出させることができるため、開口１ｄを大きく設定することにより、ガードル１を着用した状態で、用を足すことが可能になるとの効果も奏され得る。
【００６９】
なお、本実施の形態では、図２に示す端部Ｅ３１、Ｅ４１が互いに縫着されるため、図５（ｂ）に示すように、２枚の布が重なった薄いハッチングの領域（図７（ｃ）の領域Ａ２２）の端部が、ガードル１の後部中央において、互いに連結されることとなる。このため、３枚の布が重なった濃いハッチングの領域（図７（ｃ）の領域Ａ２１）の端部が互いに連結される場合に比べて、ガードル１上部の開口１ａが広げやすくなり、開口１ａを広げて、ヒップを開口１ａに通すことが容易になる。
【００７０】
なお、一般に、通常または小さいサイズのガードル１では、着用者のヒップとウエストの差が比較的大きいため、開口１ａの径とガードル１のヒップ部分の径の差も比較的大きく設計される。このため、開口１ａは、着用時に広げ易いことが望ましく、開口１ａの伸縮力が高められて開口１ａが広げにくくなっていると、着用時に、着用者のヒップを開口１ａに通すことが困難になる。本実施の形態では、上記のように、開口１ａが広げ易くなるようにガードル１が構成されているため、着用者のウエストとヒップの差が大きい場合にも、着用者において、開口１ａを広げてガードル１を容易に着用することができる。上記実施の形態に係る構成は、特に、通常または小さいサイズのガードル１に用いて好適なものである。
【００７１】
なお、一般に、大きいサイズのガードル１では、着用者のヒップとウエストの差が小さいため、開口１ａの径とガードル１のヒップ部分の径の差も小さく設計される。この場合、開口１ａを大きく広げなくとも着用者のヒップを開口１ａに容易に通すことができるため、開口１ａの伸縮性が比較的高く設定されていても問題はない。このため、大きいサイズのガードル１では、図５（ｂ）に示すように２枚の布が重なられた領域の端部をガードル１の後部で連結するよりも、むしろ、３枚の布が重ねられた領域の端部を互いに連結して、３枚の布が重ねられた領域によるホールド力を高める方が望ましいと言える。
【００７２】
＜変更例＞
本変更例は、前脇部３０、４０に設けられた３枚の布が重ねられた領域の端部が、ガードル１の後部中央で互いに縫着される場合の構成を例示するものである。すなわち、上記実施の形態では、図２に示すように、前脇部３０、４０の互いに縫着される端部Ｅ３１、Ｅ４１が、薄いハッチングが付された２枚の布が重なる領域（図７（ｃ）の領域Ａ２２）の端部であったが、本変更例では、３枚の布が重なる領域の端部が互いに縫着される。本変更例は、特に、大きいサイズのガードル１に適用されて好ましいものである。
【００７３】
図８は、本変更例のウエスト部１０と、前中央部２０と、前脇部３０、４０と、股底部５０とが縫着される前の状態を、ガードル１の内側から見た場合の平面図である。図８では、図２に示す布３１、３２、４１、４２の形状が変更されている。
【００７４】
この場合も、端部Ｅ３１、Ｅ４１が互いに縫着される。ここで、端部Ｅ３１は、３枚の布３１〜３３が重なった濃いハッチングの領域の端部であり、また、端部Ｅ４１は、３枚の布４１〜４３が重なった濃いハッチングの領域の端部である。したがって、本変更例では、３枚の布３１〜３３が重なった領域と、３枚の布４１〜４３が重なった領域とが互いに連結される。
【００７５】
図９は、本変更例の後中央部６０、７０と、後脇部８０、９０とが縫着される前の状態を、ガードル１の内側から見た場合の平面図である。本変更例では、布３１、３２、４１、４２の形状の変更に合わせて、図３に示す布８１、８２、９１、９２の形状が、図９に示すように変更される。
【００７６】
本変更例によれば、前脇部３０の３枚の布３１〜３３が重なった領域と、前脇部４０の３枚の布４１〜４３が重なった領域と、後脇部８０の３枚の布８１〜８３が重なった領域と、後脇部９０の３枚の布９１〜９３が重なった領域が互いに連結される。したがって、最も伸縮性が高められたこれらの領域が、一つ続きのループとなって、着用者の両ももと腹部および腰部を取り巻くようになる。上記実施の形態では、図２および図５（ｂ）に示すように、前脇部３０の３枚の布３１〜３３が重なった領域と、前脇部４０の３枚の布４１〜４３が重なった領域とが互いに連結されない。このため、上記実施の形態では、最も伸縮性が高められたこれらの領域は、一つ続きのループとなっていない。本変更例によれば、最も伸縮性が高められた領域が、一つ続きのループとなって、着用者の両ももと腹部および腰部を取り巻くようになる。よって、領域Ａ１、Ａ２の部分によるヒップおよび腹部の引き締め効果をより一層高めることができ、これにより、ボディラインをより美しく整えることができる。
【００７７】
以上、本発明の実施の形態および変更例について説明したが、本発明は、上記実施の形態および変更例に何ら制限されるものではなく、本発明の構成例も他に種々の変更が可能である。
【００７８】
たとえば、上記実施の形態では、領域Ａ１が図７（ａ）に示すように設定されたが、領
域Ａ１の設定方法は、これに限定されるものではなく、開口１ｄから手で持ち上げた肉を領域Ａ１の部分で留めることができ、且つ、結合部Ｃ１、Ｃ２を結合させたときに、領域Ａ１の部分で留めた肉を持ちあげられることができれば、領域Ａ１の形状や位置が変更されても良い。また、上記実施の形態では、領域Ａ２が図７（ｃ）に示すように設定されたが、領域Ａ２の設定方法も、これに限定されるものではなく、領域Ａ１の収縮力に適正に抗することが可能であれば、領域Ａ２の形状や位置が変更されても良い。たとえば、領域Ａ１の股部側の端部の位置が上下方向にずらされた場合、領域Ａ１の位置に応じて、領域Ａ２の端部の位置も上下にずらすようにしても良い。
【００７９】
また、上記実施の形態では、布２２、３３、４３、６２、７２、８３、９３に重ねられる布は、１枚または２枚であったが、これに限らず、重ねられる布は、全て１枚であっても良い。この場合、たとえば、布３２、４２、８２、９２が省略される。また、重ねられる布は、３枚以上であっても良い。また、布２２、３３、４３、６２、７２、８３、９３には布が重ねられず、布の伸縮性を高めたい領域において生地の伸縮性が高められるよう構成されても良い。なお、ベースとなる布の上に重ねられる布の数が３枚以上である場合、重ねられる布の幅を互いに相違させ、幅方向に伸縮性が中央から端に向かって徐々に低下するように構成するのが望ましい。こうすると、布の境界における肉の盛り上がりをより効果的に抑えることができ、美感と装着感をより高めることができる。
【００８０】
また、上記実施の形態では、布２１、２２、３１〜３３、４１〜４３、６１、６２、７１、７２、８１〜８３、９１〜９３は、同じ材料により構成されたが、異なる材料により構成されても良い。たとえば、布２１、３１、３２、４１、４２、６１、７１、８１、８２、９１、９２が、布２２、３３、４３、６２、７２、８３、９３よりも伸縮性が高い材料により構成されても良い。
【００８１】
また、上記実施の形態では、布８１、８２を布８３に重ねて縫着し、布９１、９２を布９３に重ねて縫着することにより、領域Ａ１の幅方向の中央部の伸縮性と、領域Ａ１の幅方向の縁部の伸縮性とを相違させたが、布８３、９３に、幅方向に伸縮性が異なる１枚の帯状の布を縫着することにより、領域Ａ１の幅方向の中央部の伸縮性と、領域Ａ１の幅方向の縁部の伸縮性とを相違させても良い。また、同様に、布３３、４３に、幅方向に伸縮性が異なる１枚の帯状の布を縫着することにより、領域Ａ２の幅方向の上側の伸縮性と、領域Ａ１の幅方向の下側の伸縮性とを相違させても良い。
【００８２】
また、上記実施の形態では、布８２、９２は、それぞれ布８１、９１よりも幅が広くなっており、布８２、９２は、それぞれ布８１、９１の幅方向の両側にはみ出すように重ねられた。また、布３２、４２は、それぞれ布３１、４１よりも幅が広くなっており、布３２、４２は、それぞれ布３１、４１の幅方向の片側にのみはみ出すように重ねられた。しかしながら、これに限らず、布８２、９２が、布８１、９１の幅方向の片側にのみはみ出すように重ねられても良く、布３２、４２が、布３１、４１の幅方向の両側にはみ出すように重ねられても良い。
【００８３】
また、上記実施の形態では、結合部Ｃ１、Ｃ２には、結合位置を変更できるように、それぞれループＣ１１とフックＣ２１が設置されたが、これに限らず、ボタンや面ファスナーであっても良い。
【００８４】
また、開口１ｄの形状、大きさおよび配置位置も上記実施の形態および変更例に示されたものに限られない。開口１ｄは、必ずしも、用足しに利用可能で無くとも良く、開口１ｄから手を挿入して内ももやヒップ下側の肉を持ち上げることが可能なように形成されれば良い。
【００８５】
この他、本発明の実施の形態は、特許請求の範囲に示された技術的思想の範囲内において、適宜、種々の変更が可能である。
【００８６】
なお、本願の特許請求の範囲には、以下に示す請求項が、適宜、追加され得る。
【００８７】
（ａ）請求項２または３に記載のガードルにおいて、前記第１の領域に装着される前記布は、前記ガードル本体と同じ材料からなっている、ことを特徴とするガードル。
【００８８】
（ｂ）請求項６に記載のガードルにおいて、前記緩衝部は、伸縮性を有する帯状の第３の布と、前記第３の布よりも幅が広い伸縮性を有する帯状の第４の布を含み、前記第３の布の幅方向に前記第４の布の一部がはみ出すように、前記第３の布と前記第４の布が前記第２の領域に重ねて装着され、一方の前記第３の布の他端が、他方の前記第３の布の他端に連結されている、ことを特徴とするガードル。
【００８９】
上記（ａ）の構成によれば、第１の領域に装着される布として、別途、特別な材料の布を準備する必要がないため、コストの低減を図ることができる。
【００９０】
また、上記（ｂ）の構成によれば、請求項３と同様、緩衝部の境界部分における肉の盛り上がりを抑えることができ、着用感を高めることができる。
【符号の説明】
【００９１】
１  …  ガードル
１ｄ  …  開口
３１、３２、４１、４２  …  布（緩衝部）
８１、９１  …  布（伸縮補強部、第１の布）
８２、９２  …  布（伸縮補強部、第２の布）
１００  …  ガードル本体
２０１  …  カバー
２０２、２０３  …  帯部
Ａ１  …  領域（第１の領域）
Ａ２  …  領域（第２の領域）
Ｃ１１  …  ループ（結合具）
Ｃ２１  …  フック（結合具）
【図１】
2014214382.tif 000003
【図２】
2014214382.tif 000004
【図３】
2014214382.tif 000005
【図４】
2014214382.tif 000006
【図５】
2014214382.tif 000007
【図６】
2014214382.tif 000008
【図７】
2014214382.tif 000009
【図８】
2014214382.tif 000010
【図９】
2014214382.tif 000011